(57)【要約】【課題】  筺体の施錠構造において、筺体内に配線されたケーブルの断線を防止するとともに、錠前の操作不能状態を防止する。【解決手段】  リアーケース３の開口を開閉するフロントケース４には、施錠片９を有する錠前７が設けられている。リアーケース３には、施錠片９が係入される施錠溝２６が設けられた側板２２とともに囲い壁２２を構成する側板２１，２３とが一体に設けられている。フロントケース４の施錠片９に近接した部位には、フロントケース４の前面板９と施錠片９との間隔よりも大きい突出高さを有する第１および第２の防護壁１２，１３が設けられている。【選択図】  図４
2008240439.tif 000002
【特許請求の範囲】
【請求項１】
一面が開口した筺体と、この筺体の開口を開閉する扉とを備え、この扉に設けた錠前と一体的に回動する施錠片を前記筺体に設けた施錠溝に係入させることにより前記扉が施錠される筺体の施錠構造において、
前記扉の前記施錠片に近接した部位に、扉から施錠片までの間隔よりも扉からの突出高さが高い防護壁を扉に一体に設けたことを特徴とする筺体の施錠構造。
【請求項２】
前記筺体に、前記施錠溝に係入された施錠片を囲む囲い壁を一体に設けたことを特徴とする請求項１記載の筺体の施錠構造。
【発明の詳細な説明】
【技術分野】
【０００１】
本発明は、筺体の開口を開閉する扉を錠前によって施錠する筺体の施錠構造に関するものである。
【背景技術】
【０００２】
従来の筺体の施錠構造としては、筺体の一面が開口された筺体と、この筺体の開口を開閉する扉と、この扉に取り付けられ鍵によって操作することにより一体的に回動する施錠片を有する錠前と、前記筺体に設けられ施錠片が係合するブラケットとを備え、錠前を回動操作し施錠片をブラケットに係合させることにより扉を施錠するものがある（例えば、特許文献１参照）。
【特許文献１】特開平１１−２７０２０４号公報
【発明の開示】
【発明が解決しようとする課題】
【０００３】
上述した従来の筺体の施錠構造においては、錠前を回動操作し施錠片を回動させるとき、筺体内に配線されたケーブルが施錠片に接触すると、施錠片の回動に随伴してケーブルが引っ張られたり、ケーブルが施錠片とブラケットの間に入り込んだりしてしまうことがある。ケーブルが引っ張られると、ケーブルが断線するおそれがあり、またケーブルが施錠片とブラケットの間に入り込むと、錠前の動きが悪くなり、極端な場合は錠前によって施錠できなくなるという問題があった。
【０００４】
本発明は上記した従来の問題に鑑みなされたものであり、その目的とするところは、筺体内に配線されたケーブルの断線を防止するとともに、錠前の操作不能状態を防止した筺体の施錠構造を提供するところにある。
【課題を解決するための手段】
【０００５】
この目的を達成するために、請求項１に係る発明は、一面が開口した筺体と、この筺体の開口を開閉する扉とを備え、この扉に設けた錠前と一体的に回動する施錠片を前記筺体に設けた施錠溝に係入させることにより前記扉が施錠される筺体の施錠構造において、前記扉の前記施錠片に近接した部位に、扉から施錠片までの間隔よりも扉からの突出高さが高い防護壁を扉に一体に設けたものである。
【０００６】
請求項２に係る発明は、請求項１に係る発明において、前記筺体に、前記施錠溝に係入された施錠片を囲む囲い壁を一体に設けたものである。
【発明の効果】
【０００７】
本発明によれば、防護壁や囲い壁を設けたことにより、筺体内に配線されたケーブルが回動する施錠片に接触することがないため、錠前を回動操作するとき回動する施錠片にケーブルが随伴して引っ張られることがないからケーブルの断線を防止することができる。また、ケーブルが施錠片と接触することがないため、施錠片の回動にともないケーブルが施錠片と筺体との間に入り込むことがないから、錠前が操作不能となるようなことがない。また、防護壁や囲い壁を扉や筺体に一体に設けたから、扉または筺体の成型によって形成することができ、製造コストが上がるようなこともない。
【発明を実施するための最良の形態】
【０００８】
以下、本発明の実施の形態を図に基づいて説明する。図１は本発明に係る筺体の錠前構造を実施した電子機器の正面図、図２は同じく側面図、図３および図４は図２におけるIII-III 線断面図であって、図３は施錠していない状態を示し、図４は施錠した状態を示し、図５は図４におけるV-V 線断面図、図６は図４におけるVI-VI 線断面図である。
【０００９】
図５に全体を符号１で示す電子機器は、一面に開口２を有する浅底状に形成された筺体として機能するリアーケース３と、このリアーケース３の開口２を開閉する蓋として機能し浅底状に形成されたフロントケース４とによって概ね構成されている。フロントケース４は、開口２を開閉するようにリアーケース３に突設された支持板５に設けた軸６を回動中心としてリアーケース３に回動自在に支持されている。
【００１０】
図１において、７は鍵穴７ａを有しフロントケース４の前面板８に設けられた錠前であって、鍵穴７ａに挿入した鍵（図示を省略）を回動操作することにより、この錠前７に備えられた施錠片９の回動端部９ｂが基端部９ａを回動中心として、フロントケース４内において、図３および図４に示すように時計・反時計方向に回動する。図１において、１０はダイヤル釦および操作釦、１１は電子機器１の各種の動作状態を表示するＬＥＤである。
【００１１】
図３において、１２はフロントケース４の前面板８の内面から一体に突設された第１の防護壁であって、同図に示す非施錠状態である施錠片９の回動端部９ｂの周部に対向する位置に設けられている。１３はフロントケース４の前面板８の内面から一体に突設された第２の防護壁であって、施錠片９の基端部９ａの周部に対向する位置に設けられている。これら第１および第２の防護壁１２，１３の前面板８からの突出高さＨは、図５に示すように前面板８から施錠片９までの間隔Ｄよりも大きく形成されている。また、前記第１および第２の防護壁１２，１３は、いずれもフロントケース４の成型により一体に形成される。
【００１２】
図５において、１４はコネクタ１５が実装されたプリント配線板であって、フロントケース４の前面板８から一体に突設されたスタッド１６に取り付けられており、コネクタ１５は、図３に示すように錠前７の直下に位置付けられている。このコネクタ１５にはモジュラージャック１７を介してケーブル１８が結線されており、このケーブル１８は錠前７方向に引き出された後、電子機器１の左右方向から外部に導出されるように配線されている。
【００１３】
図３および図５に全体を符号２０で示す被施錠部は、リアーケース３の背面板１９から一体に突設された三枚の側板２１，２２，２３からなる囲い壁２４と、側板２１，２３を連結するように一体に形成された連結板２５とによって構成されている。連結板２５と側板２２との間には、上記した施錠片９の回動端部９ｂが係入される施錠溝２６が設けられている。また、囲い壁２４は、リアーケース３の成型により一体に形成される。このように、防護壁１２，１３や囲い壁２４をフロントケース４やリアーケース３に一体に設けたことにより、フロントケース４やリアーケース３の成型によって形成することができ、製造コストが上がるようなことがない。
【００１４】
このような構成において、図５に示すようにフロントケース４を軸６を回動中心として反時計方向に回動させ、フロントケース４によってロアーケース３の開口２を閉じる。次いで、錠前７を回動操作し、施錠片９を図３の状態から時計方向に回動させ、図４および図５に示すように、施錠片９の回動端部９ｂを施錠溝２６に係入させることにより、フロントケース４が施錠される。
【００１５】
ここで、施錠片９の回動端部９ｂおよび基端部９ａに対向して第１および第２の防護壁１２，１３が設けられており、これら第１および第２の防護壁１２，１３の前面板８からの突出高さＨが、前面板８から施錠片９までの間隔Ｄよりも大きく形成されているため、コネクタ１５から引き出されたケーブル１８が施錠片９に接触するようなことがない。すなわち、コネクタ１５から錠前７方向へ引き出された後、電子機器１の左右方向から外部に導出されるように配線されるケーブル１７は、図５に示すように第１および第２の防護壁１２，１３の端縁１２ａ，１３ａに係合するため施錠片９に接触しない。
【００１６】
このため、錠前７を回動操作し施錠片９を回動させるとき、回動する施錠片９の回動端部９ｂにケーブル１７が随伴して引っ張られることがないからケーブル１７の断線を防止することができる。また、ケーブル１７が施錠片９の回動端部９ｂと接触して回動端部９ｂとアッパーケース４との間に入り込み施錠片９の回動が阻止されることにより、錠前７の操作不能になるようなことがない。
【００１７】
また、施錠溝２６に係入された施錠片９の回動端部９ｂが回動する空間が囲い壁２４に囲まれていることにより、回動する回動端部９ｂにケーブル１７が接触することがない。このため、上記と同様に、回動する回動端部９ｂにケーブル１７が随伴して引っ張られることがないからケーブル１７の断線を防止することができる。また、ケーブル１７が回動端部９ｂと接触して回動端部９ｂとアッパーケース４との間に入り込み、施錠片９の回動が阻止されることにより、錠前７が操作不能になるようなことがない。
【図面の簡単な説明】
【００１８】
【図１】本発明に係る筺体の錠前構造を実施した電子機器の正面図である。
【図２】本発明に係る筺体の錠前構造を実施した電子機器の側面図である。
【図３】図２におけるIII-III 線断面図であって、本発明に係る筺体の錠前構造において施錠していない状態を示す。
【図４】図２におけるIII-III 線断面図であって、本発明に係る筺体の錠前構造において施錠した状態を示す。
【図５】図４におけるV-V 線断面図である。
【図６】図４におけるVI-VI 線断面図である。
【符号の説明】
【００１９】
１…電子機器、２…開口、３…リアーケース、４…フロントケース、７…錠前、７ａ…鍵穴、９…施錠片、９ａ…基端部、９ｂ…回動端部、１２…第１の防護壁、１３…第２の防護壁、１８…ケーブル、２０…被施錠部、２４…囲い壁、２６…施錠溝。
【図１】
2008240439.tif 000003
【図２】
2008240439.tif 000004
【図３】
2008240439.tif 000005
【図４】
2008240439.tif 000006
【図５】
2008240439.tif 000007
【図６】
2008240439.tif 000008